(57)【要約】【課題】  懸垂幕の設置および撤去を容易にし，懸垂幕を張設して堅く固定して，風による変形または離脱を低減させる懸垂幕掲示装置を提供する。【解決手段】  一対のポスト１０と，各ポスト１０に固定され，一側に固定孔２３を有するサポートブラケット２０と，隣接した二つのサポートブラケット２０に支持されるシャフト３０と，シャフト３０の外周に回転可能に結合され，懸垂幕Ｃの両端のマジックテープ（登録商標）Ｖと接着される対応マジックテープ（登録商標）４１を外周面に備え，懸垂幕Ｃの一端部を巻き取る巻取スリーブ４０と，シャフト３０の外周面に回転可能に結合され，ソケット５１および方向転換レバー５３を備えるラチェットスパナ５０と，サポートブラケット２０の固定孔２３に対応する固定孔が形成された回転防止ホイール６１と，巻取スリーブ４０の回転位置を固定させる回転位置固定ピン６２とを含んでなる。【選択図】    図５
2006030953.tif 000002
【特許請求の範囲】
【請求項１】
互いに間隔を置いて地盤に垂直に立設される一対のポストと；
前記ポストに一定高さの間隔で固定され，一側に固定孔を有するサポートブラケットと；
隣接する二つの前記サポートブラケットの自由端部の間に支持されるシャフトと；
前記シャフトの外周に回転可能に結合され，懸垂幕の両端に設けられたマジックテープ（登録商標）と接着する対応マジックテープ（登録商標）を外周面に備え，懸垂幕の一端部を巻き取る巻取スリーブと；
前記シャフトの外周面に回転可能に結合され，前記巻取スリーブの一端に固定されるソケットおよび前記巻取スリーブを巻取方向または解き方向に回転させる方向転換レバーを備えるラチェットスパナと；
前記ラチェットスパナの前記ソケットの外周面に固定され，前記サポートブラケットの前記固定孔に対応する，少なくとも１以上の固定孔が放射状に形成された回転防止ホイールと；
前記回転防止ホイールの前記一固定孔および前記サポートブラケットの前記固定孔に挿入され，前記巻取スリーブの回転位置を固定する回転位置固定ピンと；
を含んでなることを特徴とする，懸垂幕掲示装置。
【請求項２】
前記ラチェットスパナの前記ソケットの外周面に，キーおよびキー溝の連結構造により結合される断面角形のブッシュをさらに含み，
前記巻取スリーブの内周面および前記回転防止ホイールの内周面は，前記ブッシュの外周面に対応する角形孔に形成されて，前記巻取スリーブおよび前記回転防止ホイールが前記ラチェットスパナに連動することを特徴とする，請求項１に記載の懸垂幕掲示装置。
【請求項３】
前記ラチェットスパナは，前記一対のポストの少なくとも一方に設けられることを特徴とする，請求項２に記載の懸垂幕掲示装置。
【請求項４】
前記サポートブラケットは，前記ポストに一定の間隔で連続して固定され，
前記シャフトは，複数の前記サポートブラケットの自由端部を貫通して，最上側および最下側の前記サポートブラケットに両端が固定されることを特徴とする，請求項１〜３のいずれかに記載の懸垂幕掲示装置。
【請求項５】
前記ポストは，
Ｈビームと，
前記Ｈビームを取り囲むように前記Ｈビームに締結され，他のポストと対向する面に引込み部を有するカバーと，
前記カバーの前記引込み部に，一定の高さ間隔で取り付けられる少なくとも１以上の梯子用段と，
を有して構成されることを特徴とする，請求項１または２のいずれかに記載の懸垂幕掲示装置。
【請求項６】
前記ポストの前記カバーは，分割された複数の単位体からなり，隣接する前記単位体は，嵌合して結合されることを特徴とする，請求項５に記載の懸垂幕掲示装置。
【請求項７】
前記サポートブラケットは，
前記ポストの外周面に固定される本体部と，
前記本体部の外周から延長されて前記シャフトを支持し，前記回転位置固定ピンが挿入される固定孔を一側に備えるアーム部と，
前記アーム部に直角方向に，前記本体部の外周面から延長され，先端部に支持孔を有する段部と，
からなり，
前記サポートブラケットの前記段部の前記支持孔に挿入され，下端が地盤に固定されるポールをさらに有することを特徴とする，請求項１または２のいずれかに記載の懸垂幕掲示装置。
【請求項８】
前記サポートブラケットは，
前記ポストの外周を取り囲むように，一端はヒンジで連結され，他端は締結手段により締結される複数の円弧状のクランプバンドからなり，
前記クランプバンドのいずれか一の外周にはピラーを有するポストクランプと，
前記ポストクランプの前記ピラーに固定され，前記シャフトを支持し，前記回転位置固定ピンが挿入される固定孔が一側に形成されるサポートブロックと，
を有して構成されることを特徴とする，請求項１または２のいずれかに記載の懸垂幕掲示装置。
【請求項９】
前記サポートブラケットと，前記シャフトと，前記巻取スリーブと，前記回転防止ホイールとは，アルミニウムで形成されることを特徴とする，請求項１〜８のいずれかに記載の懸垂幕掲示装置。
【発明の詳細な説明】
【技術分野】
【０００１】
本発明は，懸垂幕掲示装置に関し，特に，複数の懸垂幕を同時に掲示する懸垂幕掲示装置に関するものである。
【背景技術】
【０００２】
周知のように，適正の幅を有する長帯状の織物に，大衆に知らせようとする宣伝文句，広告文句または広報文句などの内容が記載された懸垂幕は，人々の往来が多い道路脇に主に掲示されるものである。容易に，かつ低費用で製作することができるため，商業的広告，公益広告はもちろん，自治団体，機関などによる地域情報などの広報のために，広範囲に使用されている。
【０００３】
このような懸垂幕は，主に織物からなり，幕が張設されて掲示される。このため，懸垂幕の両端に，懸垂幕の幅方向の辺にそれぞれ結合部を設け，これら結合部に支持棒を貫通させる。その後，貫通された２本の支持棒の両端部を，地面に所定の間隔を置いて立てられた２本の柱に紐などで縛り付ける方法により，通常掲示される。
【０００４】
しかし，この場合，懸垂幕が紐などにより柱に支持されるので，風により大きく揺れて縺れるため，懸垂幕の掲示内容を明確に伝達することが難しいだけでなく，さらに，懸垂幕が破れるなど，懸垂幕を安定した状態で掲示できないという問題がある。
【０００５】
一方，特許文献１には，二つのポストにラグ（ｌｕｇ）を有するバンドをそれぞれ一定の高さで締結し，一方のポストに締結された二つのバンドのラグの間には，懸垂幕の一側結合部に挿入される支持棒が取り付けられ，他方のポストに締結された二つのバンドのラグの間には，巻取棒が回転可能に取り付けられる構造の懸垂幕掲示台が開示されている。かかる構造の懸垂幕掲示台は，ラチェットで回転方向の制御を行うとともに，懸垂幕の他の結合部に挿入される支持棒を巻取棒に対して平行に固定する。そして，巻取棒を回転させて巻き取ることにより，懸垂幕は張設され，安定して掲示することができる。
【０００６】
しかし，この技術は，懸垂幕の一端を支持する支持棒が巻取棒から間隔を置いて固定されるため，各懸垂幕を同じ長さに製作しなければならない。懸垂幕の長さが異なると，複数の懸垂幕が同一平面上に整列されず，不規則に掲示されるため，懸垂幕が掲示された通りの美観にも悪影響を及ぼすことになる。
【０００７】
さらに，懸垂幕の掲示および撤去に際しては，二つのポストに締結されたバンドから支持棒を分離して懸垂幕の結合部に挿入するか，あるいは結合部から抜き出してから再び組み立てなければならない。このため，掲示および撤去作業が複雑であり，特に，巻取棒を人力で回転させなければならないため，懸垂幕をぴんと張ることが困難であった。
【０００８】
また，特許文献２には，ポストに間隔を置いて支持される二つのブラケットに，両端が回転可能に支持されるチャンネル状のカバーと，このカバー内に収容され，一端が軸支される支持棒と，支持棒の自由端をカバーに固定させる固定ピンと，カバーの回転中心に同心状に連結されるボックスレンチとを備えた懸垂幕掲示用支持装置が開示されている。この懸垂幕掲示用支持装置は，懸垂幕の両端に設けられた結合部を支持棒に結合してカバーに収容させた後，カバーを適宜回転させることで，懸垂幕を張設して，安定して支持することができる。
【０００９】
しかし，この技術は，懸垂幕の一端を支持する支持棒とカバーとが角形断面を有する。このため，懸垂幕の長さが異なる場合，カバーの回転角度が異なり，複数の懸垂幕が同一平面上に整列されずに，不規則に並ぶので見掛けが悪くなるという問題がある。このように，懸垂幕が掲示される通りの美観にも，悪影響を及ぼすことになる。
【００１０】
また，懸垂幕の掲示または撤去を行うためには，固定ピンを解除し，支持棒をカバーから回動させて分離し，懸垂幕の結合部を支持棒に結合または分離させる。その後，再びカバーに収容させ固定しなければならないため，掲示および撤去の作業が非常に複雑であるという問題がある。
【００１１】
さらに，カバーを回転させるためには，ボックスレンチを操作するための別途の専用工具を所持していなければならないという問題があった。
【００１２】
【特許文献１】大韓民国登録実用新案第０３１３１８９号明細書
【特許文献２】大韓民国登録実用新案第０３３４４９９号明細書
【発明の開示】
【発明が解決しようとする課題】
【００１３】
したがって，本発明はこのような問題に鑑みてなされたもので，その目的は，懸垂幕の設置および撤去が容易であり，かつ，懸垂幕を張設して固定し，風による変形または離脱を低減させることの可能な，新規かつ改良された懸垂幕掲示装置を提供することにある。
【００１４】
かかる懸垂幕掲示装置により，掲示される複数の懸垂幕の長さが異なる場合でも，全ての懸垂幕を同一平面上に規則的に掲示することができる。さらに，別途の専用工具を使用しなくても，懸垂幕を張設して固定することができ，また，容易に巻き取ることや，緩めて解くことができる。
【課題を解決するための手段】
【００１５】
上記課題を解決するために，本発明のある観点によれば，互いに間隔を置いて地盤に垂直に立設される一対のポストと，各ポストに一定高さの間隔で固定され，一側に固定孔を有するサポートブラケットと，隣接した二つのサポートブラケットの自由端部間に支持されるシャフトと，シャフトの外周に回転可能に結合され，懸垂幕の両端に設けられたマジックテープ（登録商標）と接着する対応マジックテープ（登録商標）を外周面に備えて懸垂幕の一端部を巻き取る巻取スリーブと，シャフトの外周面に回転可能に結合され巻取スリーブの一端に固定されるソケットおよび巻取スリーブを巻取方向または解き方向に回転させる方向転換レバーを備えるラチェットスパナ（例えば，両方向ラチェットスパナ）と，ラチェットスパナのソケットの外周面に固定され，サポートブラケットの固定孔に対応する複数の固定孔が放射状に形成された回転防止ホイールと，回転防止ホイールの一固定孔およびサポートブラケットの固定孔に挿入され，巻取スリーブの回転位置を固定させる回転位置固定ピンとを含んで構成される，懸垂幕装置が提供される。
【００１６】
さらに，ラチェットスパナのソケットの外周面には，キーおよびキー溝による連結構造で結合される断面角形のブッシュをさらに含み，巻取スリーブの内周面および回転防止ホイールの内周面は，ブッシュの外周面に対応する角形孔に形成されることにより，巻取スリーブおよび回転防止ホイールがラチェットスパナに連動するように形成することもできる。
【００１７】
また，サポートブラケットは，ポストに一定の間隔で連続して固定され，シャフトは，各サポートブラケットの自由端部を貫通して，最上側および最下側のサポートブラケットに両端を固定させるようにしてもよい。これにより，別途の専用工具なしでも，例えばラチェットスパナにより懸垂幕を容易に設置および撤去することができる。さらに，懸垂幕を張設して堅く固定することで，風による変形または離脱を最小にすることができる。
【００１８】
また，懸垂幕が円形の巻取スリーブに巻き取られるので，掲示される複数の懸垂幕の長さの差によらず，全ての懸垂幕を同一平面上に規則的に掲示することができる。
【００１９】
さらに，ポストは，Ｈビームと，Ｈビームを取り囲むようにＨビームに締結され，他のポストと対向する面に引込み部を有するカバーと，カバーの引込み部に，一定の高さ隔で取り付けられる少なくとも１以上の梯子用段とを有して構成することもできる。このポストのカバーは，分割された複数の単位体から形成することもでき，このとき，隣接する単位体は，嵌合して結合するのがよい。
【００２０】
また，サポートブラケットは，ポストの外周面に固定される本体部と，本体部の外周から延長されてシャフトを支持し，回転位置固定ピンが挿入される固定孔を一側に備えるアーム部と，アーム部に直角方向に，本体部の外周面から延長され，先端部に支持孔を有する段部とからなり，サポートブラケットの段部の支持孔に挿入され，下端が地盤に固定されるポールをさらに有することもできる。
【００２１】
一方，サポートブラケットは，ポストの外周を取り囲むように，一端はヒンジで連結され，他端は締結手段により締結される複数の円弧状のクランプバンドからなり，クランプバンドのいずれか一の外周にはピラーを有するポストクランプと，ポストクランプのピラーに固定され，シャフトを支持し，回転位置固定ピンが挿入される固定孔が一側に形成されるサポートブロックと，を有して構成することもできる。
【００２２】
また，サポートブラケットと，シャフトと，巻取スリーブと，回転防止ホイールとは，例えばアルミニウムで形成することもできる。
【００２３】
このように，本発明にかかる懸垂幕掲示装置は，懸垂幕掲示装置の品位，信頼性および安定性の向上と，設置または除去の容易性の向上に大きく寄与するものである。
【発明の効果】
【００２４】
以上説明したように本発明によれば，懸垂幕の設置および撤去が容易であり，かつ，懸垂幕を張設して固定し，風による変形または離脱を低減させることの可能な懸垂幕掲示装置を提供することができる。
【００２５】
したがって，別途の専用工具がなくとも，例えばラチェットスパナにより懸垂幕を容易に設置および撤去することができ，さらに懸垂幕を張設して堅く固定することができるので，風による変形または離脱を低減させることができる。特に，懸垂幕が円形の巻取スリーブに巻き取られるので，掲示される複数の懸垂幕の長さの差にかかわらず，全ての懸垂幕を同一平面上に規則的に掲示することができる。これにより，都市の美観のみならず視認性も大きく向上される。よって，本発明は，懸垂幕掲示装置の品位，信頼性および安定性の向上，設置または除去の容易性の向上などに大きく寄与する非常に優れた効果を有する。
【発明を実施するための最良の形態】
【００２６】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２７】
（第１の実施形態）
図１〜図３に示すように，本実施形態にかかる懸垂幕掲示装置は，地盤に間隔を置いて垂直に立設される二つのポスト１０と，各ポスト１０に一定の高さで固定される複数のサポートブラケット２０と，隣接した二つのサポートブラケット２０の自由端（ダブテール２１と反対側）の間に設けられるシャフト３０と，シャフト３０の外周面に回転可能に結合され，懸垂幕Ｃの一端を巻き取る巻取スリーブ４０と，巻取スリーブ４０を巻取方向または解き方向に回転させるラチェットスパナ５０と，巻取スリーブ４０を固定させるための回転防止ホイール６０と，を有して構成される。
【００２８】
ポスト１０は，例えばＨビーム１１と，このＨビーム１１を取り囲むカバー１２と，カバー１２の一側に一定高さの間隔で設けられる複数の梯子用段１３とを有して構成される。このようなポスト１０は，例えば，下端に，Ｈビーム１１と，カバー１２を支持するベース１４とを備えることにより，基礎コンクリート（図示せず）上にアンカーで締結させることができる。
【００２９】
カバー１２は，単一体に構成することができ，または，図３のように，複数の単位体１２ａ〜１２ｄに分割して，各単位体１２ａ〜１２ｄを組み立てることにより構成することもできる。このため，各単位体１２ａ〜１２ｄの両端には，隣り合う単位体１２ａ〜１２ｄと連結するための連結構造を有する。この連結構造は，例えばダブテール形状の嵌め合わせ構造に形成することが好ましい。
【００３０】
また，カバー１２は，例えば，略断面方形に形成されている。他のポスト１０と対向するように位置する第１単位体１２ａは，例えば，引込み部１５を有するチャンネル状に構成され，引込み部１５の底面部（図３の梯子用段１３が設置される側と反対側）がＨビーム１１にボルト１８で締結されることにより，カバー１２がＨビーム１１に固定される。また，第１単位体１２ａの引込み部１５の前方（図３の紙面下方）には，後述するサポートブラケット２０のダブテール２１が挿合されるダブテール溝１６が，例えば縦方向に形成される。そして，カバー１２の前面（図３の紙面下方）を構成する第２単位体１２ｂは，美観向上のために，例えば略弧状に形成され，その中間部には，円形棒１７をさらに備えることもできる。
【００３１】
梯子用段１３は，第１単位体１２ａの引込み部１５に一定高さの間隔で水平に固定されて形成されている。これにより，高所に設置される懸垂幕Ｃの設置または除去が可能となる。
【００３２】
サポートブラケット２０は，図４〜図６に示すように，例えば，一端にダブテール２１を備えている。このダブテール２１は，ポストカバー１２の第１単位体１２ａに形成されたダブテール溝１６に挿合され，スクリュー（図示せず）で固定される。そして，サポートブラケット２０の自由端部（ダブテール２１と反対側）には，シャフト３０が挿入される結合孔２２が形成される。この結合孔２２の一側には，回転防止ホイール６０の回転位置を固定させるための固定孔２３が形成される。
【００３３】
シャフト３０は，例えば，隣接した二つのサポートブラケット２０の間ごとに設けることもでき，好ましくは，長い棒体からなって，各サポートブラケット２０の結合孔２２を連続して貫通した後，最上側および最下側のサポートブラケット２０に両端が固定されるのがよい。
【００３４】
巻取スリーブ４０は，図４および図５に示すように，隣接した二つのサポートブラケット２０の間に位置し，シャフト３０の外周から間隔を置いて結合される。この外周面には，懸垂幕Ｃの両端に設けられたマジックテープ（登録商標）Ｖを接着するための対応マジックテープ（登録商標）４１が設けられる。巻取スリーブ４０は，ラチェットスパナ５０の介設のために，両サポートブラケット２０の間の間隔より短く形成される。
【００３５】
ラチェットスパナ５０は，図７に示すように，例えばラチェットギヤ５２を有してシャフト３０の外周面に回転可能に結合されるソケット５１と，ラチェットギヤ５２の回転許容を選択的に転換させる方向転換レバー５３とを含んで構成される。ソケット５１は，ラチェットギヤ５２がヘッド５４内に回転可能に支持され，その両端部がヘッド５４の両側（図４の紙面上下方向）に適切に突出されている。
【００３６】
方向転換レバー５３は，図７に示すように，例えば，ラチェットギヤ５２に選択的に歯合する係合突起５３ａを，ラチェットギヤ５２と対向する面の両側にそれぞれ有している。また，ヘッド５４の一側に軸支され，反対側面の中央には，方向転換レバー５３を選択位置に固定させるための固定突起５３ｂを有する。
【００３７】
そして，ラチェットスパナ５０の取手５５には，例えば，収容孔５６が形成されている。この収容孔５６は，この収容孔５６に収容されたスプリング５７により方向転換レバー５３に弾性的に密着させることで，方向転換レバー５３を選択位置に固定させるセッティングボール５８を収容させることができる。
【００３８】
このような方向転換レバー５３は，ヘッド５４の両側に形成されたスロット５４ａを通して両端部が外部に露出することにより，その操作が許容されるようになっている。
【００３９】
一方，このようなラチェットスパナ５０は，巻取スリーブ４０の下端に一体的に連結されて巻取スリーブ４０を回転させる。巻取スリーブ４０との連結は，例えば溶接によってすることもでき，好ましくは嵌め合わせ方式で行うのがよい。
【００４０】
このため，ラチェットスパナ５０のソケット５１の外周面には，外周面が角形に形成されたブッシュ７０が嵌め合わせられ，巻取スリーブ４０の内周面は，ブッシュ７０の外周面に対応する形状，例えば断面角形に形成される。そして，ソケット５１とブッシュ７０とは，ソケット５１の外周面にキー５９が突設され，ブッシュ７０の内周面には，ソケット５１の外周面のキー５９が挿合されるキー溝７１が形成されることにより，互いに連動可能に結合される。
【００４１】
回転防止ホイール６０においても，巻取スリーブ４０と同様に，ラチェットスパナ５０のソケット５１に連動するように，ソケット５１の下端部の外周面に固定される。すなわち，図８および図９に示すように，外周面が例えば角形に形成された下部ブッシュ７２を，ソケット５１の下端部の外周面に形成されたキー５９とブッシュ７０の内周面に形成されたキー溝７１との結合により，ソケット５１に連動可能となるように嵌め合わせる。そして，回転防止ホイール６０の内周を，下部ブッシュ７２の角形断面に対応する形状に形成することにより，ブッシュ７２の外周面に連動可能に結合される。
【００４２】
回転防止ホイール６０の外周には，回転防止ホイール６０をサポートブラケット２０の固定孔２３に固定させる回転位置固定ピン６２が貫通する，複数の固定孔６１が一定の角度間隔で，例えば放射状に形成される。
【００４３】
ここで，ポスト１０，サポートブラケット２０，シャフト３０，巻取スリーブ４０および回転防止ホイール６０などの構成要素は，好ましくは耐食性に優れたアルミニウムを押出し加工して形成するのがよい。
【００４４】
また，ラチェットスパナ５０は，両側に設置されたポスト１０に共に設けることもできる。または，図１０に示すように，一方のポスト１０のみに設け，他方のポスト１０には設けなくてもよい。すなわち，サポートブラケット２０の自由端部に支持されたシャフト３０の外周に，巻取スリーブ４０と回転防止ホイール６０のみが設けられるものである。
【００４５】
次に，かかる懸垂幕掲示装置を用いて懸垂幕を掲示する方法を説明する。
【００４６】
まず，懸垂幕Ｃの一端に設けられたマジックテープ（登録商標）Ｖを，ラチェットスパナ５０の設けられていないポスト１０に支持された巻取スリーブ４０のマジックテープ（登録商標）４１に接着させた後，巻取スリーブ４０を回転させて懸垂幕Ｃを適宜巻き取る。そして，ブッシュ７０の外周に設けられた回転防止ホイール６０の一つの固定孔６１を通して，サポートブラケット２０の固定孔２３に回転位置固定ピン６２を挿入して，巻取スリーブ４０を固定させる。
【００４７】
そうすると，巻取スリーブ４０は，断面角形のブッシュ７０を介して回転防止ホイール６０と一体的に結合されているので，懸垂幕Ｃを一定部分だけ巻き取った状態でサポートブラケット２０にその回転位置が固定される。
【００４８】
この状態で，次に，懸垂幕Ｃの他端に設けられたマジックテープ（登録商標）Ｖを，他方のポスト１０に支持された巻取スリーブ４０のマジックテープ（登録商標）４１に接着させて，ラチェットスパナ５０の方向転換レバー５３を巻取方向に位置させる。その後，ラチェットスパナ５０を繰り返し旋回運動させることによって，巻取スリーブ４０を回転させる。
【００４９】
そうすると，巻取スリーブ４０は，ブッシュ７０を介してラチェットスパナ５０に連動するように結合されているので，巻取方向に回転され，これにより懸垂幕Ｃの他端が巻取スリーブ４０の外周面に巻き取られる。この際，回転防止ホイール６０もラチェットスパナ５０のソケット５１の下端部に，断面角形のブッシュ７２を介して結合されているので，巻取スリーブ４０と同時に回転される。
【００５０】
その後，懸垂幕Ｃが張設されると，回転位置固定ピン６２を，回転防止ホイール６０の一固定孔６１を介して，サポートブラケット２０の固定孔２３に挿入して回転防止ホイール６０の回転位置を固定させることにより，巻取スリーブ４０を固定させる。
【００５１】
懸垂幕Ｃが張設されると，図３に実線で示すように，ラチェットスパナ５０の方向転換レバー５３を解き方向に位置させた後，取っ手５５をポスト１０の梯子用段１３側に回転させる。これにより，ラチェットスパナ５０の突出部位を少なくすることができる。
【００５２】
なお，懸垂幕Ｃを除去または取り替えようとする場合は，前述した掲示手順の逆順に進むとよい。
【００５３】
（第２の実施形態）
図１１〜図１２Ｂは，第２の実施形態にかかる懸垂幕掲示装置のサポートブラケットを示す図である。本実施形態は，前述した実施形態の構成において，サポートブラケット８０が，ポスト１０ａの外周面に結合されボルトで固定される本体部８１と，該本体部８１の外周面から半径方向に伸びてシャフト３０を支持するアーム部８２と，このアーム部８２と直交するように本体部８１の外周面から水平に伸びて，梯子として機能する段部８３とを有して構成されている。
【００５４】
アーム部８２の自由端部には，シャフト３０が挿支される軸支孔８４が形成され，この支持孔８４の一側には，回転位置固定ピン６２が挿入される固定孔８５が形成される。そして，段部８３の自由端部には，これらを地盤に支持するためのポール８７が挿入される支持孔８６が形成される。
【００５５】
本実施形態は，前述した第１の実施形態とは異なり，別途のポストを別途構築せずに，既存の設置されているポスト１０ａの間に簡単に装着することができるという利点を有する。
【００５６】
（第３の実施形態）
図１３〜図１４Ｂは，第３の実施形態にかかる懸垂幕掲示装置のサポートブラケットを示す図である。本実施形態にかかるサポートブラケット９０は，前述した第１の実施形態の構成において，一側端部は，互いにヒンジで連結され，他側端部は，ポスト１０ａの外周を取り囲んだ状態でボルト９７により締結される，二つの円弧状クランプバンド９２，９３を有して構成されるポストクランプ９１と，ポストクランプ９１を構成する一のクランプバンド（例えばクランプハンド９３）の外周から水平に伸びて，シャフト３０を支持するサポートブロック９５とを含んで構成されるものである。
【００５７】
ポストクランプ９１を構成する二つのクランプバンド９２，９３の一側端部には，互いに嵌め合わせ方式で結合されるヒンジ溝９３ａおよびヒンジ突条９２ａが設けられ，他側端部には，ボルト９７の締結のためフランジ９３ｂ，９２ｂが設けられている。そして，いずれか一のクランプバンド（例えばクランプハンド９３）の外周面には，サポートブロック９５を取り付けるためのピラー９４が突設されている。このピラー９４には，後述するサポートブロック９５の結合突条９６が挿入される結合溝９４ａが縦方向（図１３の紙面上）に形成される。
【００５８】
サポートブロック９５の固定端には，例えば，ピラー９４の結合溝９４ａに挿入される結合突条９６が形成され，その自由端部には，例えば，シャフト３０が挿入されて支持される軸支孔９５ａと，回転位置固定ピン６２が挿入される固定孔９５ｂとが形成される。
【００５９】
本実施形態は，前述した第１実施形態とは異なるが，第２実施形態と同様に，別途のポストを構築しなくても，既に設置されているポスト１０ａを用いて，懸垂幕Ｃを容易に掲示することができる。
【００６０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６１】
本発明は，懸垂幕掲示装置に適用可能であり，特に，複数の懸垂幕を同時に掲示する懸垂幕掲示装置に適用可能である。
【図面の簡単な説明】
【００６２】
【図１】本発明の第１の実施形態にかかる懸垂幕掲示装置を示す正面図である。
【図２】図１の線ＩＩ−ＩＩについての側断面図である。
【図３】図１の線ＩＩＩ−ＩＩＩについての横断面図である。
【図４】上記実施形態にかかる懸垂幕掲示装置の一部である懸垂幕固定ユニットサポートを示す分解斜視図である。
【図５】図４の結合状態を示す部分切断側面図である。
【図６】図５の線ＶＩ−ＶＩについての横断面図である。
【図７】図５の線ＶＩＩ−ＶＩＩについての横断面図である。
【図８】図５の線ＶＩＩＩ−ＶＩＩＩについての横断面図である。
【図９】図８の線ＩＸ−ＩＸについての側断面図である。
【図１０】懸垂幕掲示装置の一部を示す部分切断側面図である。
【図１１】本発明の第２の実施形態にかかる懸垂幕掲示装置の一部である懸垂幕固定ユニットサポートを示す分解斜視図である。
【図１２Ａ】上記実施形態にかかる懸垂幕掲示装置の正面図である。
【図１２Ｂ】上記実施形態にかかる懸垂幕掲示装置の側面図である。
【図１３】本発明の第３の実施形態にかかる懸垂幕掲示装置の一部である懸垂幕固定ユニットサポートを示す分解斜視図である。
【図１４Ａ】上記実施形態にかかる懸垂幕固定ユニットサポートの結合状態の部分切断側面図である。
【図１４Ｂ】上記実施形態にかかる懸垂幕固定ユニットサポートの結合状態の横断面図である。
【符号の説明】
【００６３】
１０，１０ａ  ポスト
１１          Ｈビーム
１２          カバー
１３          梯子用段
２０，８０，９０    サポートブラケット
２３，８５，９５ｂ  固定孔
３０          シャフト
４０          巻取スリーブ
４１          マジックテープ（登録商標）
５０          ラチェットスパナ
５１          ソケット
５２          ラチェットギヤ
５３          方向転換レバー
５５          取っ手
６０          回転防止ホイール
６１          固定孔
６２          回転位置固定ピン
７０，７２    ブッシュ
８２          アーム部
８３          段部
９１          ポストクランプ
９４          ピラー
９５          サポートブロック
Ｃ            懸垂幕
Ｖ            懸垂幕のマジックテープ（登録商標）
【図１】
2006030953.tif 000003
【図２】
2006030953.tif 000004
【図３】
2006030953.tif 000005
【図４】
2006030953.tif 000006
【図５】
2006030953.tif 000007
【図６】
2006030953.tif 000008
【図７】
2006030953.tif 000009
【図８】
2006030953.tif 000010
【図９】
2006030953.tif 000011
【図１０】
2006030953.tif 000012
【図１１】
2006030953.tif 000013
【図１２Ａ】
2006030953.tif 000014
【図１２Ｂ】
2006030953.tif 000015
【図１３】
2006030953.tif 000016
【図１４Ａ】
2006030953.tif 000017
【図１４Ｂ】
2006030953.tif 000018